(57)【特許請求の範囲】
【請求項１】
複数の電子棚札に対応する個別情報を記憶管理する管理装置であって、
前記各電子棚札のそれぞれの配置情報を記憶手段で記憶管理する記憶管理手段と、
前記複数の電子棚札から離れた場所での端末装置の移動位置を取得する位置取得手段と、
前記取得手段で取得した移動位置に対応する場所に存在する電子棚札を、前記各電子棚札の配置情報に基づいて特定する特定手段と、
この特定手段により特定された電子棚札に対応する個別情報を読み出して出力する出力手段と、
を具備したことを特徴とする管理装置。
【請求項２】
前記複数の電子棚札の位置は、各種物品が収納される複数の収納位置であり、
前記個別情報は、前記電子棚札の位置に収納される各種物品に関する物品情報であり、
前記特定手段は、前記各電子棚札の位置から離れた場所での前記端末装置の移動位置に基づいて、前記電子棚札の位置を特定し、
前記出力手段は、前記特定手段で特定された電子棚札の位置に収納される物品の物品情報を出力する、
ことを特徴とする請求項１に記載の管理装置。
【請求項３】
前記出力手段は、前記特定手段で特定された電子棚札に対応する個別情報を前記端末装置において表示させるべく、当該端末装置に対して当該個別情報を送信出力する、
ことを特徴とする請求項１又は２に記載の管理装置。
【請求項４】
複数の電子棚札を管理する管理装置であって、
前記各電子棚札のそれぞれの配置情報を記憶手段で記憶管理する記憶管理手段と、
前記複数の電子棚札から離れた場所での端末装置の移動位置を取得する位置取得手段と、
前記取得手段で取得した移動位置に対応する場所に存在する電子棚札を、前記各電子棚札の配置情報に基づいて特定する特定手段と、
この特定手段により特定された電子棚札の位置を識別出力させる識別出力手段と、
を具備したことを特徴とする管理装置。
【請求項５】
前記複数の電子棚札の位置は、各種物品が収納される複数の収納位置であり、
前記特定手段は、前記各電子棚札の位置から離れた場所での前記端末装置の移動位置に基づいて、前記電子棚札の位置を特定し、
前記識別出力手段は、前記特定手段で特定された電子棚札の位置に設置される識別装置でその位置を識別させるべく、当該識別装置に対して識別信号を送信出力する、
ことを特徴とする請求項４に記載の管理装置。
【請求項６】
前記特定手段は、前記複数の電子棚札の内の所定位置を基準として、その基準とする位置からの前記端末装置の移動に基づく相対的移動量に基づいて、前記端末装置の移動位置に対応する場所にある電子棚札を特定する、
ことを特徴とする請求項１〜５のいずれかに記載の管理装置。
【請求項７】
複数の電子棚札を管理する管理装置であって、
前記各電子棚札のそれぞれの配置情報を記憶手段で記憶管理する記憶管理手段と、
前記複数の電子棚札から離れた場所での端末装置の移動方向を取得する位置取得手段と、
前記各電子棚札の内の所定位置を基準にして、その基準とする位置からの前記移動方向による相対移動に基づいて移動位置を決定し、その決定された移動位置に対応する場所に存在する電子棚札を、前記各電子棚札の配置情報に基づいて特定する特定手段と、
を具備したことを特徴とする管理装置。
【請求項８】
前記複数の電子棚札の位置は、各種物品が収納される複数の収納位置であり、
前記特定手段は、前記各電子棚札の位置から離れた場所での前記端末装置の移動位置に基づいて、前記電子棚札の位置を特定する、
ことを特徴とする請求項７に記載の管理装置。
【請求項９】
複数の電子棚札に対応する個別情報を記憶管理する管理装置のコンピュータを制御するためのプログラムであって、
前記コンピュータを、
前記各電子棚札のそれぞれの配置情報を記憶手段で記憶管理する記憶管理手段、
前記複数の電子棚札から離れた場所での端末装置の移動位置を取得する位置取得手段、
前記取得手段で取得した移動位置に対応する場所に存在する電子棚札を、前記各電子棚札の配置情報に基づいて特定する特定手段、
この特定手段により特定された電子棚札に対応する個別情報を読み出して出力する出力手段、
として機能させるようにしたコンピュータ読み取り可能なプログラム。
【請求項１０】
複数の電子棚札を管理する管理装置のコンピュータを制御するためのプログラムであって、
前記コンピュータを、
前記各対象位置のそれぞれの配置情報を記憶する配置情報記憶手段、
前記各電子棚札のそれぞれの配置情報を記憶手段で記憶管理する記憶管理手段、
前記複数の電子棚札から離れた場所での端末装置の移動位置を取得する位置取得手段、
前記取得手段で取得した移動位置に対応する場所に存在する電子棚札を、前記各電子棚札の配置情報に基づいて特定する特定手段、
この特定手段により特定された電子棚札の位置を識別出力させる識別出力手段、
として機能させるようにしたコンピュータ読み取り可能なプログラム。
【請求項１１】
複数の電子棚札を管理する管理装置のコンピュータを制御するためのプログラムであって、
前記コンピュータを、
前記各電子棚札のそれぞれの配置情報を記憶手段で記憶管理する記憶管理手段、
前記複数の電子棚札から離れた場所での端末装置の移動方向を取得する位置取得手段、
前記各電子棚札の内の所定位置を基準にして、その基準とする位置からの前記移動方向による相対移動に基づいて移動位置を決定し、その決定された移動位置に対応する場所に存在する電子棚札を、前記各電子棚札の配置情報に基づいて特定する特定手段、
として機能させるようにしたコンピュータ読み取り可能なプログラム。  
【発明の詳細な説明】
【技術分野】
【０００１】
本発明は、複数の電子棚札を管理する管理装置に関する。  
【背景技術】
【０００２】
電子棚札システムのサーバ装置において、商品陳列棚に区画された多数の棚にそれぞれ配置される電子棚札と当該各棚に陳列される商品とを対応付けて管理するには、各電子棚札のＩＤ（棚札ＩＤ）に商品コードを対応付けた管理データを生成する必要がある。
【０００３】
従来、商品情報を特定するバーコードを印刷して電子棚札の表面に貼り付け、この棚札表面に貼り付けられた商品情報バーコードと棚札裏面に予め貼り付けられている棚札情報バーコードとをバーコードスキャナにより連続して読み込むことで、前記管理データを生成するようにした電子棚札と商品との対応付け方法が考えられている（例えば、特許文献１参照。）。
【０００４】
また、従来の電子棚札システムにおいて、商品を発注する際には、商品陳列棚にて発注の対象とする商品を選択すると共に、当該対象商品の商品情報バーコードあるいは棚札情報バーコードをスキャナにより読み込んで発注処理を行うことが考えられている（例えば、特許文献２参照。）。
【先行技術文献】
【特許文献】
【０００５】
【特許文献１】特開２００４−２６５１９５号公報
【特許文献２】特開２００１−２２２６３２号公報
【発明の概要】
【発明が解決しようとする課題】
【０００６】
前記従来の電子棚札システムにあっては、棚札コードに商品コードを対応付けた管理データを生成する場合、あるいは商品の発注処理を行う場合の何れにあっても、対象とする棚札あるいは商品を特定しその情報を読み込む際には、特定すべき商品のある棚札に直接手が届く場所にて作業を行う必要がある。
【０００７】
このため、特定すべき棚札の数が多いほど管理ユーザの移動が必要で、その作業は面倒且つ労力の掛かるものとなる。
【０００８】
本発明は、複数の電子棚札の内で、端末装置の移動位置に対応する電子棚札を容易に特定することが可能になる管理装置を提供することを目的とする。  
【課題を解決するための手段】
【０００９】
請求項1記載の発明は、複数の電子棚札に対応する個別情報を記憶管理する管理装置であって、前記各電子棚札のそれぞれの配置情報を記憶手段で記憶管理する記憶管理手段と、前記複数の電子棚札から離れた場所での端末装置の移動位置を取得する位置取得手段と、前記取得手段で取得した移動位置に対応する場所に存在する電子棚札を、前記各電子棚札の配置情報に基づいて特定する特定手段と、この特定手段により特定された電子棚札に対応する個別情報を読み出して出力する出力手段と、を具備したことを特徴とする。
請求項４記載の発明は、複数の電子棚札を管理する管理装置であって、前記各電子棚札のそれぞれの配置情報を記憶手段で記憶管理する記憶管理手段と、前記複数の電子棚札から離れた場所での端末装置の移動位置を取得する位置取得手段と、前記取得手段で取得した移動位置に対応する場所に存在する電子棚札を、前記各電子棚札の配置情報に基づいて特定する特定手段と、この特定手段により特定された電子棚札の位置を識別出力させる識別出力手段と、を具備したことを特徴とする。  
【００１０】
請求項７記載の発明は、複数の電子棚札を管理する管理装置であって、前記各電子棚札のそれぞれの配置情報を記憶手段で記憶管理する記憶管理手段と、前記複数の電子棚札から離れた場所での端末装置の移動方向を取得する位置取得手段と、前記各電子棚札の内の所定位置を基準にして、その基準とする位置からの前記移動方向による相対移動に基づいて移動位置を決定し、その決定された移動位置に対応する場所に存在する電子棚札を、前記各電子棚札の配置情報に基づいて特定する特定手段と、を具備したことを特徴とする。  
【発明の効果】
【００１１】
本発明によれば、複数の電子棚札の内で、端末装置の移動位置に対応する電子棚札を容易に特定することが可能になる。
【図面の簡単な説明】
【００１２】
【図１】本発明の実施形態に係る電子棚札システムの全体構成を示す図。
【図２】前記電子棚札システムにおける電子棚札１０の電子回路の構成を示すブロック図。
【図３】前記電子棚札システムにおけるハンディターミナル（操作端末）２０の電子回路の構成を示すブロック図。
【図４】前記電子棚札システムにおけるサーバ装置３０の電子回路の構成を示すブロック図。
【図５】前記サーバ装置３０にて生成記憶された商品マスタ３３ａの内容を示す図。
【図６】前記サーバ装置３０にて生成記憶された電子棚札情報マスタ３３ｂの内容を示す図。
【図７】前記サーバ装置３０にて生成記憶された電子棚札配置マスタ３３ｃの内容を示す図。
【図８】前記電子棚札システムのハンディターミナル（操作端末）２０による操作端末処理を示すフローチャート。
【図９】前記電子棚札システムのハンディターミナル２０とサーバ装置３０との間で実行されるキャリブレーション処理を示すフローチャート。
【図１０】前記電子棚札システムのハンディターミナル２０とサーバ装置３０との間で実行される第１の棚札選択処理(1)を示すフローチャート。
【図１１】前記電子棚札システムのハンディターミナル２０とサーバ装置３０との間で実行される第２の棚札選択処理(2)を示すフローチャート。
【図１２】前記電子棚札システムのハンディターミナル２０とサーバ装置３０との間で実行される棚札選択処理(1)または(2)でのサーバ装置側処理に伴う在庫確認処理を示すフローチャート。
【図１３】前記電子棚札システムのサーバ装置３０における「棚札設定処理」「発注処理」「商品情報照会処理」「棚札位置チェック処理」のそれぞれに応じたサーバ処理を示すフローチャート。
【発明を実施するための形態】
【００１３】
以下図面により本発明の実施の形態について説明する。
【００１４】
図１は、本発明の実施形態に係る電子棚札システムの全体構成を示す図である。
【００１５】
この電子棚札システムは、複数の電子棚札１０，…とハンディターミナル（操作端末）２０、サーバ装置３０を備えて構成される。
【００１６】
電子棚札１０，…はそれぞれ、商品陳列棚（ゴンドラ）１の各商品が陳列される例えば縦の段と横の列で区画された各棚位置１ａ，１ｂ，１ｃ，…に個々に設置され、商品コードや販売価格などの商品情報を表示するもので、各電子棚札１０，…の表面には、表示部（表示装置）１１、発光部（発光装置）１２が設けられる。
【００１７】
ハンディターミナル（操作端末）２０は、前記商品陳列棚１から離れて、当該棚１の各棚位置１ａ，１ｂ，…に設置した全ての電子棚札１０，…を視認できる場所にて使用され、各電子棚札１０，…を特定して各商品を対応付ける操作（棚札設定処理）、電子棚札１０を特定して商品を発注する操作（発注処理）、電子棚札１０を特定して商品情報を取得閲覧する操作（商品情報照会処理）、特定の商品に対応する電子棚札１０の位置を見つける操作（棚札位置チェック処理）などを行うもので、電子棚札１０を特定する操作は、当該ターミナル２０本体を所望の電子棚札１０の方向に向けて移動させることで行い、何れの電子棚札１０が選択されているかは当該選択された棚札１０の表示部１１を発光させることで報知する。
【００１８】
サーバ装置３０は、前記各電子棚札１０，…の情報と各商品の情報を生成記憶し、棚札コントローラ２と通信を行い前記各電子棚札１０，…を制御すると共に、アクセスポイント３を介して前記ハンディターミナル２０と通信を行い、前記各種の操作に応じた指示やデータを受け付けて対応する処理を実行する。
【００１９】
図２は、前記電子棚札システムにおける電子棚札１０の電子回路の構成を示すブロック図である。
【００２０】
電子棚札１０は、ＣＰＵ１３を備えている。
【００２１】
ＣＰＵ１３は、メモリ１４に予め記憶された棚札制御プログラムに従い回路各部の動作を制御するもので、当該ＣＰＵ１３には、前記表示部（表示装置）１１、発光部（発光装置）１２、メモリ１４が接続される他、作業用のデータが記憶される記憶装置１５、前記棚札コントローラ２と通信する通信装置１６が接続される。
【００２２】
発光装置１２は、緑色のＬＥＤと赤色のＬＥＤを備え、前記ハンディターミナル２０の操作に従い当該電子棚札１０が選択された際に、前記サーバ装置３０による処理に応じて、該棚札１０に対応付けられた商品が在庫割れしている場合は赤色のＬＥＤが、在庫割れしていない場合は緑色のＬＥＤが発光駆動制御される。
【００２３】
記憶装置１５には、当該電子棚札１０の棚札ＩＤに対して、サーバ装置３０での商品との関係付け処理に従い対応付けられた商品情報などが記憶される。
【００２４】
表示装置１１には、前記ハンディターミナル２０の操作に応じた前記サーバ装置３０での処理に従い、前記記憶装置１５に記憶された商品情報（商品コード、商品名、販売価格など）が選択的に表示される。
【００２５】
図３は、前記電子棚札システムにおけるハンディターミナル（操作端末）２０の電子回路の構成を示すブロック図である。
【００２６】
ハンディターミナル２０は、ＣＰＵ２１を備えている。
【００２７】
ＣＰＵ２１は、メモリ２２に予め記憶されたターミナル制御プログラムに従い回路各部の動作を制御するもので、当該ＣＰＵ２１には、前記メモリ２２が接続される他、作業用のデータが記憶される記憶装置２３、各種の操作キーや操作ボタンなどを備えた入力装置２４、当該ターミナル２０本体の上下左右方向への移動操作に伴う加速度を検出する加速度センサ２５、前記商品陳列棚１の各棚位置１ａ，１ｂ，１ｃ，…に相当する棚割表に記載された商品コードを読み取るスキャナ２６、表示装置２７、操作に伴う確認電子音や音声（取得情報の読み上げ音声など）を出力するスピーカ２８、前記サーバ装置３０と通信する通信装置２９が接続される。
【００２８】
記憶装置２３には、例えば当該ハンディターミナル２０のユーザ操作に伴い前記１つの電子棚札１０が特定された際に、該特定された電子棚札１０に対応付けられた商品情報２３ａが前記サーバ装置３０から取得されて記憶される。
【００２９】
また、記憶装置２３には、Ｘレジスタ２３ｘおよびＹレジスタ２３ｙが備えられる。Ｘレジスタ２３ｘには、当該ハンディターミナル２０による電子棚札１０の選択操作に伴い、前記加速度センサ２５により右方向への移動が検出された際に“１”、左方向への移動が検出された際に“−１”がセットされる。Ｙレジスタ２３ｙには、当該ハンディターミナル２０による電子棚札１０の選択操作に伴い、前記加速度センサ２５により上方向への移動が検出された際に“１”、下方向への移動が検出された際に“−１”がセットされる。
【００３０】
入力装置２４には、前記棚札設定処理、発注処理、商品情報照会処理、棚札位置チェック処理などの処理の種類の選択画面を表示させる際に操作されるメニュー「ＭＥＮＵ」キー２４ａ、前記商品陳列棚１上にある何れかの電子棚札１０を特定する際に、前記サーバ装置３０によって基準となる電子棚札１０の発光装置１２を点灯駆動させるキャリブレーション処理を開始させるのに操作されるキャリブレーション「ＣＡＲ」ボタン２４ｂ、当該ターミナル２０本体の移動操作に応じて選択された前記電子棚札１０を特定（確定）する際に操作される選択「ＳＥＬ」キー２４ｃなどが備えられる。
【００３１】
加速度センサ２５は、３次元空間における加速度、傾き、振動をＸ，Ｙ，Ｚ軸の３軸成分に分けて検出するもので、これにより当該ターミナル２０本体の上下左右方向への移動操作に伴う加速度を検出し、ＣＰＵ２１によってその移動方向のデータや方向ベクトルデータを取得する。
【００３２】
表示装置２７には、当該ターミナル２０本体の移動操作に応じて選択・特定された前記電子棚札１０に対応して、前記サーバ装置３０から取得され前記記憶装置２３に記憶された商品情報２３ａなどが表示される。
【００３３】
図４は、前記電子棚札システムにおけるサーバ装置３０の電子回路の構成を示すブロック図である。
【００３４】
サーバ装置３０は、ＣＰＵ３１を備えている。
【００３５】
ＣＰＵ３１は、メモリ３２に予め記憶されたサーバ制御プログラムに従い回路各部の動作を制御するもので、当該ＣＰＵ３１には、前記メモリ３２が接続される他、作業用のデータが記憶される記憶装置３３、各種の操作キーや操作ボタンなどを備えた入力装置３４、表示装置３５、前記ハンディターミナル２０や棚札コントローラ２と通信する通信装置３６が接続される。
【００３６】
記憶装置３３には、商品マスタ３３ａ、電子棚札情報マスタ３３ｂ、電子棚札配置マスタ３３ｃなどが生成記憶され、また、ＷＸレジスタ３３ｄ、ＷＹレジスタ３３ｅ、Ｘレジスタ３３ｆ、Ｙレジスタ３３ｇ、Ｗ発光色レジスタ３３ｈが備えられる。
【００３７】
図５は、前記サーバ装置３０にて生成記憶された商品マスタ３３ａの内容を示す図である。
【００３８】
この商品マスタ３３ａには、前記商品陳列棚１において陳列される全ての商品それぞれの商品コード、商品名、販売単価、仕入単価、在庫数、適正在庫、発注数が、例えば入力装置３４あるいは通信装置３６により入力されて生成記憶される。
【００３９】
図６は、前記サーバ装置３０にて生成記憶された電子棚札情報マスタ３３ｂの内容を示す図である。
【００４０】
この電子棚札情報マスタ３３ｂには、前記ハンディターミナル２０の棚札設定処理に伴うユーザ操作に応じて対応付けが決定された前記各商品コードと前記各電子棚札１０，…の棚札ＩＤとの対応データが生成記憶される。
【００４１】
図７は、前記サーバ装置３０にて生成記憶された電子棚札配置マスタ３３ｃの内容を示す図である。
【００４２】
この電子棚札配置マスタ３３ｃには、前記商品陳列棚１の各棚位置１ａ，１ｂ，１ｃ，…に対応するところの電子棚札１０，…の棚札ＩＤに対応付けられて、陳列棚１の番号を示すゴンドラＮＯ、最下段を“１”とする縦方向の棚段数を示す段ＮＯ、左端を“１”とする横方向の棚位置を示す配置ＮＯ、前記ハンディターミナル２０により特定の電子棚札１０の選択操作を行う際の開始時基準となる電子棚札１０の発光装置１２を点灯駆動させるための開始時点灯フラグ、前記ハンディターミナル２０による電子棚札１０の選択操作に伴い発光装置１２が現在点灯駆動されている電子棚札１０を示す点灯フラグ、商品陳列棚１の左上を基準とした各棚位置１ａ，１ｂ，１ｃ，…の座標範囲を示す左上のＸ，Ｙ座標および右下のＸ，Ｙ座標が、例えば入力装置３４により入力されて生成記憶される。
【００４３】
前記ＷＸレジスタ３３ｄ、ＷＹレジスタ３３ｅには、前記電子棚札１０の発光装置１２を点灯させるべき棚位置の配置ＮＯ、段ＮＯがそれぞれ記憶される。
【００４４】
前記Ｘレジスタ３３ｆには、前記ハンディターミナル２０による電子棚札１０の選択操作に伴い、加速度センサ２５により右方向への移動が検出された際に“１”、左方向への移動が検出された際に“−１”が受信セットされる。
【００４５】
前記Ｙレジスタ３３ｇには、前記ハンディターミナル２０による電子棚札１０の選択操作に伴い、加速度センサ２５により上方向への移動が検出された際に“１”、下方向への移動が検出された際に“−１”が受信セットされる。
【００４６】
前記Ｗ発光色レジスタ３３ｈには、前記ハンディターミナル２０の操作に従い選択された電子棚札１０に対応する商品が在庫割れしている場合に当該棚札１０における表示装置１１の赤色ＬＥＤの点灯を指示するデータ（赤）がセットされ、在庫割れしていない場合に当該棚札１０における緑色ＬＥＤの点灯を指示するデータ（緑）がセットされる。
【００４７】
前記表示装置３５には、入力装置３４のユーザ操作に応じた操作対応画面や処理結果の出力画面などが表示される。
【００４８】
次に、前記構成の電子棚札システムの動作について説明する。
【００４９】
図８は、前記電子棚札システムのハンディターミナル（操作端末）２０による操作端末処理を示すフローチャートである。
【００５０】
商品陳列棚１の各電子棚札１０，…が視認可能な離れた場所において、ハンディターミナル２０をユーザ操作して何らかの処理を行う際に、入力装置２４のメニュー「ＭＥＮＵ」キー２４ａが操作されると、「棚札設定」「発注」「商品情報照会」「棚札位置チェック」などの処理の種類の選択画面が表示装置２７に表示される（ステップＳ１）。
【００５１】
この処理種類選択画面において、先ず、各電子棚札１０，…を特定して各商品を対応付ける処理を行うために「棚札設定」が選択されると、図９におけるキャリブレーション処理が起動される（ステップＳＡ）。
【００５２】
このキャリブレーション処理は、ハンディターミナル２０の操作に応じて動作するサーバ装置３０との間で実行され、前記商品陳列棚１の基準となる電子棚札１０の発光装置１２を点灯駆動させる。
【００５３】
図９は、前記電子棚札システムのハンディターミナル２０とサーバ装置３０との間で実行されるキャリブレーション処理を示すフローチャートである。
【００５４】
ユーザ操作に応じてハンディターミナル２０のキャリブレーション「ＣＡＲ」ボタン２４ｂが入力されると（ステップＡ１）、その「ＣＡＲ」ボタン２４ｂの入力信号が通信装置２９からサーバ装置３０へ送信される（ステップＡ２）。
【００５５】
サーバ装置３０において、前記ハンディターミナル２０からの「ＣＡＲ」ボタン２４ｂの入力信号が通信装置３６により受信されると、記憶装置３３に記憶されている電子棚札配置マスタ３３ｃ（図７参照）に基づき、その開始時点灯フラグに“１”がセットされているところの電子棚札１０が検索され（ステップＡ３）、当該検索された棚札１０の段ＮＯがＷＹレジスタ３３ｅにセットされると共に（ステップＡ４）、配置ＮＯがＷＸレジスタ３３ｄにセットされる（ステップＡ５）。
【００５６】
すると、前記検索された電子棚札１０の棚札ＩＤに従って、その電子棚札１０に対する発光装置（ＬＥＤ）１６の点灯指示信号が通信装置３６から棚札コントローラ２へ送信され（ステップＡ６）、同棚札ＩＤに対応するところの点灯フラグに“１”がセットされる（ステップＡ７）。
【００５７】
これにより、商品陳列棚１上にある何れかの電子棚札１０を特定する際に、基準となる棚位置の電子棚札１０の発光装置１２が点灯駆動され、前記ハンディターミナル２０の操作ユーザに報知される。
【００５８】
ここでハンディターミナル２０において、棚札設定処理の終了操作がなされることなく（ステップＳ２（Ｎ））、今回これから特定する電子棚札１０に対応付けるべく対象商品の商品コードが棚割表からスキャナ２６により読み込まれると（ステップＳ３）、図１０における第１の棚札選択処理(1)（ステップＳＢ１）または図１１における第２の棚札選択処理(2)（ステップＳＢ２）が起動される。
【００５９】
この棚札選択処理（(1)または(2)）は、ハンディターミナル２０の移動操作に応じて動作するサーバ装置３０との間で実行され、前記ステップＳ３において棚割表から読み込まれた商品コードを対応付けるべく電子棚札１０を選択・特定してその発光装置１２を点灯駆動させる。
【００６０】
図１０は、前記電子棚札システムのハンディターミナル２０とサーバ装置３０との間で実行される第１の棚札選択処理(1)を示すフローチャートである。
【００６１】
この第１の棚札選択処理(1)（ＳＢ１）では、ハンディターミナル２０をユーザ操作するための商品陳列棚１の各電子棚札１０，…が視認可能な離れた場所を、当該商品陳列棚１から予め設定された距離だけ離れた場所とし、ハンディターミナル２０の移動操作に応じた方向ベクトルを検出して当該ターミナル２０により指示される先の電子棚札１０を特定する。
【００６２】
前記キャリブレーション処理（ステップＳＡ）によって現在点灯駆動報知されている基準となる電子棚札１０の位置から、その点灯駆動位置を他の電子棚札１０の位置に移動させて特定するべく、商品陳列棚１に向けたハンディターミナル２０を所望の電子棚札１０の方向へ向けて移動させると、内蔵された加速度センサ２５により検出された当該移動操作に応じた方向ベクトルが算出され（ステップＢ１１）、通信装置２９からサーバ装置３０へ送信される（ステップＢ１２）。
【００６３】
サーバ装置３０において、前記ハンディターミナル２０から送信された移動操作後の方向ベクトルが通信装置３６により受信されると（ステップＢ１３）、当該受信された方向ベクトルが、記憶装置３３に記憶されている電子棚札配置マスタ３３ｃ（図７参照）の各棚位置に対応するＸ，Ｙ座標範囲の中の何れのＸ，Ｙ座標範囲に入るか比較判断され、その電子棚札（ＩＤ）１０が特定される（ステップＢ１４）。
【００６４】
こうして、ハンディターミナル２０の向けられた電子棚札（ＩＤ）１０が特定されると、引き続きサーバ装置３０では、図１２における在庫確認処理へ移行される（ステップＢＣ）。
【００６５】
図１２は、前記電子棚札システムのハンディターミナル２０とサーバ装置３０との間で実行される棚札選択処理(1)または(2)でのサーバ装置側処理に伴う在庫確認処理を示すフローチャートである。
【００６６】
この在庫確認処理が起動されると、前記ステップＢ１４において特定された電子棚札（ＩＤ）１０に対応する商品コード（この場合には、前記ステップＳ３にて読み込まれた商品コード）に基づき、記憶装置３３に記憶されている商品マスタ３３ａから該当商品の在庫数と適正在庫数とが読み出されて比較され、適正在庫割れをしているか否か判断される（ステップＣ１）。
【００６７】
ここで、適正在庫割れをしていないと判断された場合には（ステップＣ２（Ｎ））、Ｗ発光色レジスタ３３ｈに対して緑の発光色データがセットされ（ステップＣ３）、また、適正在庫割れをしていると判断された場合には（ステップＣ２（Ｙ））、Ｗ発光色レジスタ３３ｈに対して赤の発光色データがセットされる（ステップＣ４）。
【００６８】
すると、前記電子棚札配置マスタ３３ｃ（図７参照）の点灯フラグに現在“１”がセットされているところの電子棚札（ＩＤ）１０の発光装置１２に対する消灯指示信号が、通信装置３６から棚札コントローラ２に送信されると共に（ステップＢ１５）、当該点灯フラグ“１”は消去される（ステップＢ１６）。
【００６９】
そして、前記ステップＢ１４において特定された電子棚札（ＩＤ）１０の発光装置１２に対して、前記在庫確認処理（ステップＢＣ）にてＷ発光色レジスタ３３ｈにセットされた発光色での点灯指示信号が、通信装置３６から棚札コントローラ２に送信されると共に（ステップＢ１７）、当該特定された電子棚札（ＩＤ）１０の点灯フラグに“１”がセットされる（ステップＢ１８）。
【００７０】
これにより、前記ハンディターミナル２０の移動操作に応じて特定された電子棚札１０の発光装置（ＬＥＤ）１２が、当該棚札１０に対応する商品が適正在庫割れしていない場合には“緑色”で、適正在庫割れしている場合には“赤色”で発光駆動されユーザ報知される。
【００７１】
一方、前記図１０を参照して説明した第１の棚札選択処理(1)（ＳＢ１）ではなく、第２の棚札選択処理(2)（ＳＢ２）により前記ハンディターミナル２０の移動操作に応じた電子棚札１０を特定しその発光装置（ＬＥＤ）１２を点灯させる場合の動作について説明する。
【００７２】
図１１は、前記電子棚札システムのハンディターミナル２０とサーバ装置３０との間で実行される第２の棚札選択処理(2)を示すフローチャートである。
【００７３】
この第２の棚札選択処理(2)（ＳＢ２）では、商品陳列棚１の各電子棚札１０，…が視認可能な離れた場所において、ハンディターミナル２０が上下左右方向に移動操作された際の移動方向（振れた方向）を検出して当該ターミナル２０により指示された電子棚札１０を特定する。
【００７４】
前記キャリブレーション処理（ステップＳＡ）によって現在点灯駆動報知されている基準となる電子棚札１０の位置から、その点灯駆動位置を他の電子棚札１０の位置に移動させて特定するべく、商品陳列棚１に向けたハンディターミナル２０を所望の電子棚札１０の方向へ振って移動させると、内蔵された加速度センサ２５により当該移動操作に応じた方向が検出され（ステップＢ２１）、左右の方向であるか、または上下の方向であるかが判断される（ステップＢ２２）。
【００７５】
ハンディターミナル２０を振ったのが左右の方向であると判断された場合には、さらに右方向か、または左方向かが判断される（ステップＢ２３ｘ）。
【００７６】
ここで、右方向であると判断された場合には（ステップＢ２３ｘ（Ｙ））、記憶装置２３内のＸレジスタ２３ｘ（初期値“０”）に“１”がセットされ（ステップＢ２３ｘ１）、また、左方向であると判断された場合には（ステップＢ２３ｘ（Ｎ））、同記憶装置２３内のＸレジスタ２３ｘに“−１”がセットされる（ステップＢ２３ｘ２）。
【００７７】
一方、ハンディターミナル２０を振ったのが上下の方向であると判断された場合には、さらに上方向か、または下方向かが判断される（ステップＢ２３ｙ）。
【００７８】
ここで、上方向であると判断された場合には（ステップＢ２３ｙ（Ｙ））、記憶装置２３内のＹレジスタ２３ｙ（初期値“０”）に“１”がセットされ（ステップＢ２３ｙ１）、また、下方向であると判断された場合には（ステップＢ２３ｙ（Ｎ））、同記憶装置２３内のＹレジスタ２３ｙに“−１”がセットされる（ステップＢ２３ｙ２）。
【００７９】
そして、前記ハンディターミナル２０の１回の移動操作（一振り）に応じてＸレジスタ２３ｘおよびＹレジスタ２３ｙにセットされた方向のデータが、通信装置２９からサーバ装置３０へ送信される（ステップＢ２４）。
【００８０】
サーバ装置３０において、前記ハンディターミナル２０から送信されたＸ（左右方向）データおよびＹ（上下方向）データが通信装置３６により受信され、それぞれ記憶装置３３内のＸレジスタ３３ｆおよびＹレジスタ３３ｇに記憶されると（ステップＢ２５）、当該Ｘデータが、現在点灯駆動中の電子棚札１０の配置ＮＯがセットされているＷＸレジスタ３３ｄに加算され（ステップＢ２６）、またＹデータが、同点灯駆動中の電子棚札１０の段ＮＯがセットされているＷＹレジスタ３３ｅに加算される（ステップＢ２７）。
【００８１】
すると、前記ＷＹレジスタ３３ｅにＹ（上下方向）データが加算セットされた段ＮＯ、および前記ＷＸレジスタ３３ｄにＸ（左右方向）データが加算セットされた配置ＮＯに基づき、前記ハンディターミナル２０のユーザ操作に応じた電子棚札（ＩＤ）１０が検索・特定される（ステップＢ２８）。
【００８２】
こうして、ハンディターミナル２０の上下左右方向へのユーザ操作に応じて電子棚札（ＩＤ）１０が特定されると、引き続きサーバ装置３０では、前記図１０を参照して説明した第１の棚札選択処理(1)（ＳＢ１）の場合と同様にして、図１２における在庫確認処理へ移行され、特定された電子棚札（ＩＤ）１０に対応する商品の在庫数に応じた発光色の指定データがＷ発光色レジスタ３３ｈにセットされる（ステップＢＣ）。
【００８３】
すると、前記電子棚札配置マスタ３３ｃ（図７参照）の点灯フラグに現在“１”がセットされているところの電子棚札（ＩＤ）１０の発光装置１２に対する消灯指示信号が、通信装置３６から棚札コントローラ２に送信されると共に（ステップＢ２９）、当該点灯フラグ“１”は消去される（ステップＢ２１０）。
【００８４】
そして、前記ステップＢ２８において特定された電子棚札（ＩＤ）１０の発光装置１２に対して、前記在庫確認処理（ステップＢＣ）にてＷ発光色レジスタ３３ｈにセットされた発光色での点灯指示信号が、通信装置３６から棚札コントローラ２に送信されると共に（ステップＢ２１１）、当該特定された電子棚札（ＩＤ）１０の点灯フラグに“１”がセットされる（ステップＢ２１２）。
【００８５】
これにより、前記ハンディターミナル２０の上下左右方向への移動操作に応じて特定された電子棚札１０の発光装置（ＬＥＤ）１２が、当該棚札１０に対応する商品が適正在庫割れしていない場合には“緑色”で、適正在庫割れしている場合には“赤色”で発光駆動されユーザ報知される。
【００８６】
こうしたハンディターミナル２０のユーザ操作に応じた棚札選択処理（ステップＳＢ）に従い、ユーザ所望の電子棚札１０が選択・特定されてその発光装置（ＬＥＤ）１２が点灯駆動された状態で、入力装置２４の選択「ＳＥＬ」キー２４ｃが操作されると（ステップＳ４（Ｙ））、前記ステップＳ３においてスキャナ２６により読み込まれた商品コードと前記ステップＳＢにおいて選択・特定された電子棚札（ＩＤ）１０との対応付けを指示する信号がサーバ装置３０へ送信される（ステップＳ５）。
【００８７】
図１３は、前記電子棚札システムのサーバ装置３０における「棚札設定処理」「発注処理」「商品情報照会処理」「棚札位置チェック処理」のそれぞれに応じたサーバ処理を示すフローチャートである。
【００８８】
すなわち、前記ハンディターミナル２０のユーザ操作に応じた「棚札設定処理」に従って、当該ハンディターミナル２０から送信された商品コードと電子棚札（ＩＤ）１０との対応付けを指示する信号が受信されると（ステップＤ１（Ｙ））、これに応じて記憶装置３３内の電子棚札情報マスタ３３ｂに対し、前記受信指示された商品コードと電子棚札ＩＤとを対応付けた管理データが生成されて記憶される（ステップＤ２）。
【００８９】
このような、ハンディターミナル２０のユーザ操作に応じた「棚札設定処理」に従い、前記商品陳列棚１の各棚位置１ａ，１ｂ，…に設置した各電子棚札１０，…と当該各棚位置に陳列される商品の商品コードとの対応付けが、前記サーバ装置３０の電子棚札情報マスタ３３ｂに成された状態で、前記ハンディターミナル２０により棚札設定終了の操作が行われると（ステップＳ２（Ｙ））、当該ターミナル２０の表示装置２７に再び処理の種類の選択画面が表示される（ステップＳ１）。
【００９０】
そして、この処理の種類の選択画面に従って（ステップＳ１）、電子棚札１０を特定して商品を発注する「発注」が選択されると、先ずは前記同様に図９におけるキャリブレーション処理が起動され、基準となる棚位置の電子棚札１０の発光装置１２が点灯駆動され、当該ハンディターミナル２０の操作ユーザに報知される（ステップＳＡ）。
【００９１】
ここでハンディターミナル２０において、当該発注処理の終了操作がなされない場合には（ステップＳ６（Ｎ））、前記同様に図１０または図１１における棚札選択処理が起動され、ハンディターミナル２０の移動操作に応じて特定された電子棚札１０の発光装置（ＬＥＤ）１２が、当該棚札１０に対応する商品が適正在庫割れしていない場合には“緑色”で、適正在庫割れしている場合には“赤色”で発光駆動されユーザ報知される（ステップＳＢ）。
【００９２】
こうしたハンディターミナル２０のユーザ操作に応じた棚札選択処理（ステップＳＢ）に従い、ユーザ所望の発注対象商品のある電子棚札１０が選択・特定されてその発光装置（ＬＥＤ）１２が点灯駆動された状態で、入力装置２４の選択「ＳＥＬ」キー２４ｃが操作されると（ステップＳ７（Ｙ））、商品発注数量の入力画面が表示装置２７に表示される。
【００９３】
そして、この商品発注数量の入力画面に従って、前記発光装置１２が点灯しているところの電子棚札１０に対応する該当商品の発注数量が、入力装置２６により入力されると（ステップＳ８）、この発注数量のデータが通信装置２９からサーバ装置３０へ送信される（ステップＳ９）。
【００９４】
サーバ装置３０において、前記ハンディターミナル２０から送信された特定された商品の発注数量が通信装置３６により受信されると（ステップＤ３（Ｙ））、前記図１０または図１１の棚札選択処理（ステップＳＢ）にて特定された電子棚札（ＩＤ）１０に対応するところの商品について、その発注数量が商品マスタ３３ａに記憶され発注処理が行われる（ステップＤ４）。
【００９５】
この後、ハンディターミナル２０により発注終了の操作が行われると（ステップＳ６（Ｙ））、当該ターミナル２０の表示装置２７に再び処理の種類の選択画面が表示される（ステップＳ１）。
【００９６】
そして、この処理の種類の選択画面に従って（ステップＳ１）、電子棚札１０を特定して商品情報を取得閲覧する「商品情報照会」が選択されると、先ずは前記同様に図９におけるキャリブレーション処理が起動され、基準となる棚位置の電子棚札１０の発光装置１２が点灯駆動され、当該ハンディターミナル２０の操作ユーザに報知される（ステップＳＡ）。
【００９７】
ここでハンディターミナル２０において、当該商品情報照会処理の終了操作がなされない場合には（ステップＳ１０（Ｎ））、前記同様に図１０または図１１における棚札選択処理が起動され、ハンディターミナル２０の移動操作に応じて特定された電子棚札１０の発光装置（ＬＥＤ）１２が、当該棚札１０に対応する商品が適正在庫割れしていない場合には“緑色”で、適正在庫割れしている場合には“赤色”で発光駆動されユーザ報知される（ステップＳＢ）。
【００９８】
こうしたハンディターミナル２０のユーザ操作に応じた棚札選択処理（ステップＳＢ）に従い、ユーザ所望の照会対象商品のある電子棚札１０が選択・特定されてその発光装置（ＬＥＤ）１２が点灯駆動された状態で、入力装置２４の選択「ＳＥＬ」キー２４ｃが操作されると（ステップＳ１１（Ｙ））、当該特定された電子棚札（ＩＤ）１０に対応するところの商品情報について照会を指示する信号が通信装置２９からサーバ装置３０へ送信される（ステップＳ１２）。
【００９９】
サーバ装置３０において、前記ハンディターミナル２０から送信された特定された商品の商品情報についての照会指示信号が通信装置３６により受信されると（ステップＤ５（Ｙ））、前記図１０または図１１の棚札選択処理（ステップＳＢ）にて特定された電子棚札（ＩＤ）１０に対応するところの商品コードが電子棚札情報マスタ３３ｂに基づき検索されると共に（ステップＤ６）、当該商品コードに対応するところの商品情報が商品マスタ３３ａに基づき検索され（ステップＤ７）、この商品情報が通信装置３６からハンディターミナル２０へ送信される（ステップＤ８）。
【０１００】
すると、ハンディターミナル２０では、前記サーバ装置３０から送信された現在特定されている商品の商品情報が受信され、表示装置２７により表示されるようになる（ステップＳ１３）。
【０１０１】
この後、ハンディターミナル２０により商品情報照会終了の操作が行われると（ステップＳ１０（Ｙ））、当該ターミナル２０の表示装置２７に再び処理の種類の選択画面が表示される（ステップＳ１）。
【０１０２】
そして、この処理の種類の選択画面に従って（ステップＳ１）、特定の商品に対応する電子棚札１０の位置を見つける「棚札位置チェック」が選択されると、当該棚札位置チェック処理に移行される。この棚札位置チェック処理の終了操作が行われることなく（ステップＳ１４（Ｎ））、前記棚割表から電子棚札１０の位置を知りたい対象商品の商品コードがスキャナ２６により読み取られると（ステップＳ１５）、この対象商品の商品コードと共に当該商品に対応するところの電子棚札１０の表示装置（ＬＥＤ）１２の点灯を指示する信号がサーバ装置３０へ送信される（ステップＳ１６）。
【０１０３】
サーバ装置３０において、前記ハンディターミナル２０から送信された棚札チェック対象商品の商品コードおよび該当する棚札表示装置１２の点灯指示信号が受信されると（ステップＤ９（Ｙ））、この受信された商品コードに対応付けられた電子棚札１０の棚札ＩＤが電子棚札情報マスタ３３ｂに基づき検索される（ステップＤ１０）。
【０１０４】
すると、前記対象商品コードから検索・特定された電子棚札（ＩＤ）１０の発光装置１２に対して、現在のＷ発光色レジスタ３３ｈにセットされた発光色での点灯指示信号が、通信装置３６から棚札コントローラ２に送信される（ステップＤ１１）。
【０１０５】
これにより、前記ハンディターミナル２０により棚割表から読み込んだ対象商品に対応するところの電子棚札１０の発光装置（ＬＥＤ）１２が、当該商品が適正在庫割れしていない場合には“緑色”で、適正在庫割れしている場合には“赤色”で発光駆動され、その棚位置がユーザ報知される。
【０１０６】
したがって、前記構成の電子棚札システムによれば、商品陳列棚１から離れた当該各棚位置１ａ，１ｂ，…が視認可能な場所において、ハンディターミナル（操作端末）２０を所望の棚位置に向けて移動操作すると、加速度センサ２５により検出された移動方向の情報がサーバ装置３０へ送信される。すると、サーバ装置３０では、前記ハンディターミナル２０から受信されたターミナル移動方向の情報に基づき、電子棚札配置マスタ３３ｃに予め記憶されている各棚位置１ａ，１ｂ，…の座標範囲や段ＮＯ，配置ＮＯから、選択された棚位置が特定され、当該棚位置に対応付けられた棚札ＩＤの電子棚札１０に対して発光装置（ＬＥＤ）１２の点灯指示信号が送信される。これにより、前記ハンディターミナル２０を移動操作して選択された棚位置にある電子棚札１０の表示装置１２が点灯駆動されユーザ報知されるので、多数の電子棚札１０，…に直接届く場所での作業を要することなく、商品陳列棚１の全体が見易い適当に離れたところから、所望の電子棚札（棚位置）１０を容易に且つ明確に特定し指示することができる。
【０１０７】
また、前記構成の電子棚札システムによれば、「棚札設定処理」において、前記ハンディターミナル（操作端末）２０のスキャナ２６により棚割表から商品コードを読み込んで前記所望の電子棚札（棚位置）１０の選択操作を行うと、サーバ装置３０では前記電子棚札（棚位置）１０の選択操作に応じて特定された電子棚札ＩＤに前記スキャナ２６により読み込まれた商品コードを対応付けた電子棚札情報マスタ３３ｂが生成され記憶されるので、従来のように各商品コードと各棚札コードとの両方を繰り返し且つ直接読み取って対応付けしその管理データを生成する必要なく、商品陳列棚１の全体が見易い適当に離れたところでの作業により容易に前記電子棚札情報マスタ３３ｂを生成することができる。
【０１０８】
また、前記構成の電子棚札システムによれば、「商品情報照会処理」において、前記ハンディターミナル（操作端末）２０のユーザ操作より所望の電子棚札（棚位置）１０の選択操作を行うと共に商品情報の照会を要求する指示信号をサーバ装置３０へ送信すると、サーバ装置３０では前記電子棚札（棚位置）１０の選択操作に応じて特定された電子棚札ＩＤに基づき、前記電子棚札情報マスタ３３ｂおよび商品マスタ３３ａから対応する商品コードの商品情報が検索され、前記ハンディターミナル２０へ応答送信される。これにより、ハンディターミナル２０では、前記サーバ装置３０から受信された商品情報が表示装置２９により表示されて照会されるので、ユーザは商品陳列棚１の全体が見易い適当に離れたところでの作業により、所望の電子棚札（棚位置）１０に対応付けられて陳列された商品の情報を容易に照会して確認することができる。
【０１０９】
また、前記構成の電子棚札システムによれば、「棚札位置チェック処理」において、ハンディターミナル２０のスキャナ２６により棚割表にある所望の商品コードを読み取ると、当該商品コードがサーバ装置３０に送信される。すると、サーバ装置３０では、前記ハンディターミナル２０から受信された商品コードに対応するところの電子棚札ＩＤが前記電子棚札情報マスタ３３ｂに基づき検索され、当該棚札ＩＤの電子棚札１０に対して発光装置（ＬＥＤ）１２の点灯指示信号が送信される。これにより、前記ハンディターミナル２０により読み取った商品コードの商品が陳列されている電子棚札１０の表示装置１２が点灯駆動されユーザ報知されるので、ユーザは商品陳列棚１の全体が見易い適当に離れたところでの作業により、所望の商品が陳列された電子棚札１０のある棚位置を容易に確認して認識することができる。
【０１１０】
また、前記構成の電子棚札システムによれば、「発注処理」において、前記ハンディターミナル（操作端末）２０のユーザ操作より所望の電子棚札（棚位置）１０の選択操作を行うと共に、対応する商品の発注数量を入力してサーバ装置３０へ送信すると、サーバ装置３０では前記電子棚札（棚位置）１０の選択操作に応じて特定された電子棚札ＩＤと受信された商品発注数量に基づき、前記電子棚札情報マスタ３３ｂおよび商品マスタ３３ａから特定された商品に対応付けて発注数量を記憶させ発注処理を行うので、ユーザは商品陳列棚１の全体が見易い適当に離れたところでの作業により、所望の電子棚札（棚位置）１０に対応付けられて陳列された商品の発注操作を容易に行うことができる。
【０１１１】
さらに、前記構成の電子棚札システムによれば、前記ハンディターミナル（操作端末）２０のユーザ操作に応じて選択された電子棚札１０の表示装置（ＬＥＤ）１２が点灯駆動されユーザ報知される際には、サーバ装置３０において当該選択された電子棚札１０に対応するところの商品の在庫数と適正在庫数とが商品マスタ３３ａから読み出されて比較判断される。そして、適正在庫割れしていないと判断された場合には、Ｗ発光色レジスタ３３ｈに緑色ＬＥＤの点灯を指示するデータがセットされ、前記ユーザ操作に応じて選択された電子棚札１０の表示装置（ＬＥＤ）１２は緑色に点灯駆動され、また適正在庫割れしていると判断された場合には、同Ｗ発光色レジスタ３３ｈに赤色ＬＥＤの点灯を指示するデータがセットされ、同ユーザ操作に応じて選択された電子棚札１０の表示装置（ＬＥＤ）１２は赤色に点灯駆動されるので、ユーザ選択された電子棚札１０の棚位置に陳列された商品が在庫割れをしているか否かを簡単に把握し認識することができる。
【０１１２】
なお、前記各実施形態において記載した電子棚札システムの電子棚札１０、ハンディターミナル（操作端末）２０、サーバ装置３０による各処理の手法、すなわち、図８のフローチャートに示すハンディターミナル（操作端末）２０による操作端末処理、図９のフローチャートに示すハンディターミナル２０とサーバ装置３０との間で実行されるキャリブレーション処理、図１０のフローチャートに示すハンディターミナル２０とサーバ装置３０との間で実行される第１の棚札選択処理(1)、図１１のフローチャートで示すハンディターミナル２０とサーバ装置３０との間で実行される第２の棚札選択処理(2)、図１２のフローチャートで示す前記棚札選択処理(1)または(2)でのサーバ装置側処理に伴う在庫確認処理、図１３のフローチャートで示すサーバ装置３０における「棚札設定処理」「発注処理」「商品情報照会処理」「棚札位置チェック処理」のそれぞれに応じたサーバ処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体に格納して配布することができる。そして、電子棚札１０のコンピュータ（ＣＰＵ１３）、ハンディターミナル（操作端末）２０のコンピュータ（ＣＰＵ２１）、サーバ装置３０のコンピュータ（ＣＰＵ３１）は、この外部記録媒体に記憶されたプログラムを各対応する記憶装置（メモリ１４，２２，３２）に読み込み、この読み込んだプログラムによって動作が制御されることにより、前記各実施形態において説明した電子棚札制御機能を実現し、前述した手法による同様の処理を実行することができる。
【０１１３】
また、前記各手法を実現するためのプログラムのデータは、プログラムコードの形態として通信ネットワーク（インターネットなど）上を伝送させることができ、この通信ネットワークに接続されたコンピュータ装置（プログラムサーバ）から前記のプログラムデータを取り込んで各対応する記憶装置（メモリ１４，２２，３２）に記憶させ、前述した電子棚札制御機能を実現することもできる。
【０１１４】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１１５】
１  …商品陳列棚
１ａ，１ｂ，１ｃ…棚位置
２  …棚札コントローラ
３  …アクセスポイント
１０  …電子棚札
１１  …表示装置（表示部）
１２  …発光装置（発光部）
１３  …棚札ＣＰＵ
１４，２２，３２…メモリ
１５，２３，３３…記憶装置
１６  …棚札通信装置
２０  …ハンディターミナル（操作端末）
２１  …ターミナルＣＰＵ
２４，３４…入力装置
２４ａ…メニュー「ＭＥＮＵ」キー
２４ｂ…キャリブレーション「ＣＡＲ」ボタン
２４ｃ…選択「ＳＥＬ」キー
２５  …加速度センサ
２６  …スキャナ
２７，３５…表示装置
２８  …スピーカ
２９  …ターミナル通信装置
３０  …サーバ装置
３１  …サーバＣＰＵ
３３ａ…商品マスタ
３３ｂ…電子棚札情報マスタ
３３ｃ…電子棚札配置マスタ
３３ｄ…ＷＸレジスタ（棚札配置ＮＯ）
３３ｅ…ＷＹレジスタ（棚札段ＮＯ）
３３ｆ…Ｘレジスタ（操作方向（左右）データ）
３３ｇ…Ｙレジスタ（操作方向（上下）データ）
３３ｈ…Ｗ発光色レジスタ
３６  …サーバ通信装置
【図１】
0005664675.tif 000002
【図２】
0005664675.tif 000003
【図３】
0005664675.tif 000004
【図４】
0005664675.tif 000005
【図５】
0005664675.tif 000006
【図６】
0005664675.tif 000007
【図７】
0005664675.tif 000008
【図８】
0005664675.tif 000009
【図９】
0005664675.tif 000010
【図１０】
0005664675.tif 000011
【図１１】
0005664675.tif 000012
【図１２】
0005664675.tif 000013
【図１３】
0005664675.tif 000014